(57)【特許請求の範囲】
【請求項１】
時計本体部と、
前記時計本体部に接続され使用者の腕に巻きつけるための一対のバンド部と、
前記バンド部と使用者の腕の間に配置される一対の緩衝部材とを有し、
前記緩衝部材は、帯状の弾性部材と、前記帯状の弾性部材を前記バンド部に接続するための接続部材と、を備えてなる腕時計であって、
前記帯状の弾性部材は、一方が前記接続部材によって前記バンド部に固定される一方、他方は解放されており、前記帯状の弾性部材の他方が折り曲げられて前記帯状の弾性部材はリング状となり、前記接続部材と使用者の腕の間に前記帯状の弾性部材が配置される腕時計。
【請求項２】
前記帯状の弾性部材は四隅近傍又は側部に突起部を備えたものであり、
前記突起部は、前記帯状の弾性部材が折り曲げられた場合に一方の面側に突出するよう配置されている請求項１記載の腕時計。
【請求項３】
時計本体部と、
前記時計本体部に接続され使用者の腕に巻きつけるための一対のバンド部と、
前記バンド部と使用者の腕の間に配置される一対の緩衝部材とを有し、
前記緩衝部材は、リング状に接続した帯状の弾性部材と、前記帯状の弾性部材を前記バンド部に接続するための接続部材と、を備えており、前記接続部材と使用者の腕の間に前記帯状の弾性部材が配置されている腕時計。
【請求項４】
四隅近傍又は側部に突起部を備えた帯状の弾性部材と、
時計本体部に接続され使用者の腕に巻きつけるためのバンド部に前記帯状の弾性部材を接続するための接続部材と、を備えた腕時計用固定補助具であって、
前記帯状の弾性部材には、折り曲げられた場合において、一方の面側に突出するよう前記突起部が配置されている腕時計用固定補助具。
【発明の詳細な説明】
【技術分野】
【０００１】
本発明は、腕時計用固定補助具及びこれを備えた腕時計に関する。
【背景技術】
【０００２】
腕時計は、使用者の腕にバンドによって装着することでいつでも時刻を知ることのできる日常生活において非常に有用な装置である。
【０００３】
また近年の人々の健康意識の高まりから、ランニング人口は増加傾向にあり、ランナーは、ランニングの際、自分がどの程度の時間走っているのかに関し、腕時計によって計測するのが一般的である。
【０００４】
ところで、腕時計は、一般に、前腕の手の甲と同じ側（以下「表側」という。）に時計本体部（時刻を表示する部材）を配置することとなるため、ランナーはランニングの際、腕を捻って時刻を確認しなければならず、その手間が煩わしく感じるといった課題がある。そのため、前腕の側部（ランナーの顔に近い側）に安定的に配置することができればこの手間を解消することができる。
【０００５】
前腕の側部に時計本体部の表示面を配置しようとする技術が、例えば下記特許文献１に記載されている。
【先行技術文献】
【特許文献】
【０００６】
【特許文献１】特開２００３−１７２７８７号公報
【発明の概要】
【発明が解決しようとする課題】
【０００７】
しかしながら、上記特許文献１の技術について検討を行ったところ、ランニングは上下及び腕の振り等非常に激しい運動であり、バンド部及びその接続部材の位置を調整しただけではランニング中に時計本体部がずれてしまうといった課題があることに想到した。さらに、上記特許文献１の技術は時計の構造に特殊な形状を採用するため、既に購入した一般的構造の腕時計に適用することを前提としていないといった課題がある。
【０００８】
そこで、本発明は、上記課題に鑑み、既存の腕時計に適用可能であり、ランニングの際であってもずれる虞の少ない腕時計用固定補助具及びこれを備えた腕時計を提供することを目的とする。
【課題を解決するための手段】
【０００９】
上記課題を解決する本発明の一観点に係る腕時計用固定補助具は、内側曲面、この内側曲面の一方の端辺に一方の端辺が接続される平坦面、この平坦面の他方の端辺及びこの内側曲面の他方の端辺に接続される外側曲面、を備え、この内側曲面で使用者の前腕表側及び裏側を覆う一対の緩衝部材を備えてなることを特徴とする。
【００１０】
また、上記課題を解決する他の一観点に係る腕時計は、時計本体部と、この時計本体部に接続され使用者の腕に巻きつけるためのバンド部と、このバンド部と使用者の腕の間に配置される一対の緩衝部材とを有し、この緩衝部材は、内側曲面、前記内側曲面の一方の端辺に一方の端辺が接続される平坦面、前記平坦面の他方の端辺び前記内側曲面の他方の端辺に接続される外側曲面、を備え、前記内側曲面で使用者の前腕表側及び裏側を覆うものであることを特徴とする。
【発明の効果】
【００１１】
以上本発明によって、既存の腕時計に適用可能であり、ランニングの際であってもずれる虞の少ない腕時計用固定補助具及びこれを備えた腕時計を提供することができる。
【図面の簡単な説明】
【００１２】
【図１】実施形態に係る腕時計用固定補助具の概略を示す図である。
【図２】実施形態に係る腕時計用固定補助具を用いた腕時計の概略を示す図である。
【図３】実施形態に係る腕時計用固定補助具の形状を説明する図である。
【図４】実施形態に係る腕時計用固定補助具の接続の関係を示す図である。
【図５】実施形態に係る腕時計用固定補助具の他の一例を示す図である。
【図６】他の実施形態に係る腕時計用固定補助具の概略を示す図である。
【図７】他の実施形態に係る腕時計用固定補助具を用いた腕時計の概略を示す図である。
【図８】他の実施形態に係る腕時計用固定補助具の概略を示す図である。
【図９】他の実施形態に係る腕時計用固定補助具の概略を示す図である。
【図１０】他の実施形態に係る腕時計用固定補助具の一部の概略を示す図である。
【発明を実施するための最良の形態】
【００１３】
以下、本実施形態に係る腕時計用固定補助具（以下「本補助具」という。）及びこれを用いた腕時計（以下「本腕時計」という。）について図面を用いて詳細に説明する。ただし、本発明は多くの異なる形態による実施が可能であり、以下に示す実施形態、実施例の例示にのみ限定されるわけではない。
【００１４】
（実施形態１）
図１は、本補助具１の概略を示す図である。本補助具は、本図で示すように、内側曲面１１１、この内側曲面の一方の端辺１１１１に一方の端辺１１２１が接続される平坦面１１２、平坦面１１２の他方の端辺１１２２及び内側曲面１１１の他方の端辺１１１２に接続される外側曲面１１３、を備え、この内側曲面１１１で使用者の前腕表側及び裏側を覆う一対の緩衝部材１１を備えている。また、本補助具１には、接続される腕時計の一対のバンドのそれぞれに対して固定するための第一の固定部材１２を備えている。
【００１５】
図２は、本補助具を利用して使用者が自身の腕に腕時計を装着した場合の概略図を示す。具体的に説明すると、本腕時計２は、時計本体部２１と、時計本体部２１に接続され使用者の腕に巻きつけるためのバンド部２２と、バンド部２２と使用者の腕の間に配置される一対の緩衝部材１１とを有する。またバンド部２２は、改めて後述するが一対のバンド２２１、２２２とこれらを接続するための接続部材２２３を備えている。また、本実施形態において、緩衝部材１１のそれぞれの内側曲面は、使用者の前腕の表側又は裏側に当たり、それぞれ十分な範囲を覆うよう配置されている。
【００１６】
本実施形態において、緩衝部材１１は、上記の記載から明らかなように、バンド部２２と使用者の前腕との間に配置されるものであって、バンド部２２と使用者の前腕とが摺れてしまわないよう衝撃を緩和する部材となっているとともに、時計本体部２１を前腕の側部に安定的に配置できるよう、それぞれ平坦面１１２を備えている。なお一対の緩衝部材１１は理想的には一対の平坦面１１２それぞれで時計本体部の裏面を支える（腕時計の本体裏面に設置される）構成となっている。
【００１７】
また、本実施形態に係る緩衝部材１１は一対となっており、これら各々を前腕に装着することで、前腕を十分に覆うことができる一方、前腕全てを厚く覆ってしまうことで腕周りが長くなってしまうのを防止することができる。また、接続される腕時計の一対のバンドのそれぞれに対して固定するための第一の固定部材１２を備えることで、ランナーは腕時計を装着する手間を一度で行うことができるようになるといった利点がある。
【００１８】
このため、本実施形態に係る緩衝部材１１は、一の観点によると、たとえば図３で示しているように、平坦面の垂直方向における長さが、前記平坦面の平行方向における長さよりも長く、好ましくは２倍以上、より好ましくは３倍以上となっている。このようにすることで、前腕を十分におおう寸法となる。
【００１９】
また本実施形態に係る緩衝部材１１は、他の観点によると、例えば図３で示しているように、平坦面側から内側曲面の接線の変化量が９０度以上あることが好ましい。このようにすることで、前腕を十分におおう孤を形成することができる。また、この結果、内側曲面の接線が、平坦面の垂線に対し平行な部分を有するともいえる。また、この結果、内側局面の両端部における接線同士のなす角が９０度以上あり、少なくとも一方は１８０度以上であることが好ましい。
【００２０】
また本実施形態に係る緩衝部材１１の内側曲面は、中央近傍より端辺近傍の曲率が大きいことが好ましい。一般に人間の前腕の断面は、表側及び裏側は平坦に近く、側部に近づくに従い丸みを帯びる形状となっているものであり、このような形状を取ることでより安定的に使用者の前腕に配置させることができる。すなわち緩衝部材の内側曲面は、中央近傍において使用者の腕甲部に合わせた曲面を備えたものであることが好ましい。
【００２１】
また本実施形態において、一対の緩衝部材１１は、上記のように、使用者の前腕の表側及び裏側を十分に覆うよう長く構成されている。特に、緩衝部材１１の一方は、バンド部２２に備えられる一対のバンド２２１、２２２同士を接続する接続部材２２３の内側に配置されている。接続部材２２３は一般に金属、硬質なプラスチック等で構成されており、ランニングのような激しい運動では腕との接触で皮膚が傷つく等の虞がある。そこで、この接続部材２２３と前腕との間に緩衝部材１１を延伸して配置することで前腕と接続部材２２３とが摺れてしまう虞を少なくすることができる。
【００２２】
特に、本補助具１では、接続される腕時計の一対のバンドのそれぞれに対して固定するための第一の固定部材１２を備えており、緩衝部材１１の一方は、接続部材２２３を備えた側の一方のバンドに固定された場合において、接続部材よりも内側に配置される長さを備えていることが好ましい。また、第一の固定部材は中央の一近傍でバンドと固定されるため、接続部材近傍では遊びが生じており、他方のバンドと固定される際に邪魔をする虞は少ない。また、金具があたることによる痛みや不快感を軽減することができる。
【００２３】
一方で、本補助具１では、緩衝部材１１の長さに違いがあることが好ましい。接続部材２２３に接続される側は、接続部材２２３よりも前腕側に緩衝部材１１が配置されるよう長くなるとともに、他方は、この緩衝部材２２３よりも短くすることで重なり合わないようにすることが可能となる。
【００２４】
ここで、本実施形態における第一の固定部材１２は、上記のとおり、バンドと緩衝部材１１を固定するための部材であり、限定されるわけではないが、例えば細い帯状の面ファスナー等を採用することができるがこれに限定されない。
【００２５】
また本実施形態において、緩衝部材１１の材質は、特に限定されることなく様々なものを用いることができるが、エラストマー等であれば、弾性があり腕を動かしたとしても、使用者の腕と擦れて傷つけてしまう虞を少なくすることができる。なおエラストマーとしては、例えばポリウレタン、シリコーンゴム、フッ素樹脂等を例示することができるがこれに限定されない。
【００２６】
また本実施形態において、緩衝部材１１は、幅の厚さが１ｃｍ以上４ｃｍ以下の厚みを有するものであることが好ましい。一般的な時計のバンドは１ｃｍ〜２ｃｍ程度のものであるのが多く、この範囲とすることで、バンドが緩衝部材１１からはみ出してしまうことによるずれを防止することができるといった利点がある。
【００２７】
以上本実施形態によって、既存の腕時計に適用可能であり、ランニングの際であってもずれる虞の少ない腕時計用固定補助具及びこれを備えた腕時計を提供することができる。
【００２８】
なお、本実施形態では、一対の緩衝部材が完全に分離した状態となっているが、緩衝部材同士を固定する第二の固定部材２４を備える構成も可能ではある。この場合のイメージ図を図４に示しておく。このようにしておくことで、腕時計を装着する際に一度手間が増えるが、より安定的に腕時計用固定補助具を装着させることができる。この第二の固定部材は、上記第一の固定部材と同様の構成を採用することができるがこれに限定されない。
【００２９】
また、上記の例では、一対の緩衝部材それぞれが一体のものとして構成されているが、それぞれの緩衝部材が更に、複数の緩衝部材から構成されていてもよい。このようにすることで、使用者は必要に応じて厚さを調整することができるようになる。この場合の例を図５に示しておく。そしてさらに、複数の緩衝部材のうちの一つには、貫通孔が設けられており、この貫通孔に面ファスナーなどの接続部を有する帯状部材を通すことで一体として固定することができる。
【００３０】
（実施形態２）
本実施形態では、ほぼ上記実施形態１と同様であるが、一対の緩衝部３１が中央の連結部３２を介して連結されていることを特徴とする。すなわち、本実施形態に係る腕時計用固定補助具１は、一対の緩衝部３１と、この一対の緩衝部３１を連結する連結部３２とが一体に形成されていることを特徴とする。この図を図６、７に示しておく。
【００３１】
本実施形態において、緩衝部３１の構造としては、ほぼ上記実施形態１と同様の構造、寸法を採用することができる。
【００３２】
本実施形態において、連結部３２は、上記緩衝部３１の構造と同様である。また連結部３２は、上面及びその反対である下面に平坦面を有しており、上面は腕時計の本体裏面に、下面は使用者の腕甲部に当たる構成となっている。連結部３２の厚さとしては適宜調整可能であるが、１ｍｍ以上２ｃｍ以下であることが好ましく、より好ましくは１ｃｍ以下である。本実施形態では、腕時計用固定補助具による腕を覆う全体の厚さが厚くなってしまうことになるが、連結部３２によって一対の緩衝部２１をより安定的に固定することが可能となるとともに、腕時計と使用者の腕甲部との接触を防ぐことも可能となり、腕に対する不快感を軽減することができるといった効果がある。
【００３３】
（実施形態３）
図８は、本実施形態の腕時計用補助具を利用して使用者が自身の腕に腕時計を装着した腕時計を示す概略図である。腕時計部分についての基本的な構造については上記実施形態と同様であるが、緩衝部材１１の形態が異なる。具体的に説明すると、本腕時計２は、時計本体部２１と、時計本体部２１に接続され使用者の腕に巻きつけるためのバンド部２２と、バンド部２２と使用者の腕の間に配置される一対の緩衝部材１１とを有する。またバンド部２２は、一対のバンド２２１、２２２とこれらを接続するための接続部材２２３を備えている。また、本実施形態において、緩衝部材１１は、使用者の前腕の表側又は裏側に当たり、それぞれ十分な範囲を覆うよう配置されている。
【００３４】
本実施形態において、緩衝部材１１は、上記の記載から明らかなように、バンド部２２と使用者の前腕との間に配置されるものであって、バンド部２２と使用者の前腕とが摺れてしまわないよう衝撃を緩和する部材となっているとともに、時計本体部２１を前腕の側部に安定的に配置できるよう、薄い帯状の弾性部材をリング状に巻いたものとなっている。このようにしておくことで、前腕の側部に安定的に配置できるとともに、弾性部材の輪の変形によって運動中における衝撃を緩衝して受け止めることができる。
【００３５】
本実施形態において弾性部材の材質としては特に限定されるわけではないが、ゴム又は弾性を備えたプラスチックであることは好ましい一例である。
【００３６】
また本実施形態において緩衝部材１１は、上図で示すように帯状部材の端部同士を接続してリング状態としておいてもよいが、図９で示すように、一つの帯状部材を腕時計に装着する際にリング状に折り曲げたものとしてもよい。予めリング状に接続したものである場合は装着する際あえてリング状に巻く作業が必要なくなるといった利点がある一方、帯状部材としてリング状に折り曲げることで、腕時計のバンド部と使用者の前腕部の隙間に合わせて設置を調節することができるといった利点がある。なおこの場合において、帯状部材の一方はバンド部に固定される一方、他方は解放されていることが好ましい。このようにすることで前腕部とバンド部との間の隙間を少なくし、より安定的に前腕部とバンド部を密着させることができるようになる。
【００３７】
なお、帯状部材とする場合、その四隅近傍好ましくは側部に突起部を備えていることが好ましく、その突起部は帯状部材の一方の面側に突出するよう配置されていることが好ましい。この場合の概略を図１０に示しておく。このようにすることで、帯状部材を折り曲げようとする際、この突起部がガイドとなり、横ずれを防止することができる。そしてさらに、一方の端部の突起部を帯状部材の厚さより厚いものとすることで腕時計のガイド部にもかみ合わせることが可能となり、その横ずれを防止することができるといった利点がある。
【００３８】
なお、本実施形態に係る緩衝部材１１は上記実施形態の例と同様一対となっており、これら各々を前腕に装着することで、前腕を十分に覆うことができる一方、前腕全てを厚く覆ってしまうことで腕周りが長くなってしまうのを防止することができる。また、接続される腕時計の一対のバンドのそれぞれに対して固定するための第一の固定部材１２を備えることで、ランナーは腕時計を装着する手間を一度で行うことができるようになるといった利点がある。
【００３９】
なお、本実施形態では、説明のため、一対の緩衝部材を帯状部材をリング状にしたものを用いて説明しているが、一方を、上記実施形態１又は２の緩衝部材とすることが可能である。また、少なくとも一方の緩衝部材において図８及び図９で示したものの組み合わせとすることも可能である。
【産業上の利用可能性】
【００４０】
本発明は、腕時計用固定補助具及び腕時計として産業上の利用可能性がある。
【要約】
【課題】既存の腕時計に適用可能であり、ランニングの際であってもずれる虞の少ない腕時計用固定補助具及びこれを備えた腕時計を提供する。
【解決手段】
本発明の一観点に係る腕時計用固定補助具は、内側曲面、内側曲面の一方の端辺に一方の端辺が接続される平坦面、平坦面の他方の端辺及び内側曲面の他方の端辺に接続される外側曲面、を備え、内側曲面で使用者の前腕表側及び裏側を覆う一対の緩衝部材を備えてなる。また、本発明の他の一観点に係る腕時計は、時計本体部と、時計本体部に接続され使用者の腕に巻きつけるためのバンド部と、バンド部と使用者の腕の間に配置される一対の緩衝部材とを有し、緩衝部材は、内側曲面、内側曲面の一方の端辺に一方の端辺が接続される平坦面、平坦面の他方の端辺及び内側曲面の他方の端辺に接続される外側曲面、を備え、内側曲面で使用者の前腕表側及び裏側を覆うものである。
【選択図】図１【図１】
0005979769.tif 000002
【図２】
0005979769.tif 000003
【図３】
0005979769.tif 000004
【図４】
0005979769.tif 000005
【図５】
0005979769.tif 000006
【図６】
0005979769.tif 000007
【図７】
0005979769.tif 000008
【図８】
0005979769.tif 000009
【図９】
0005979769.tif 000010
【図１０】
0005979769.tif 000011